(57)【要約】本発明は、漢方医料補助用附缸ヨモギ灸器に係り、より詳細には、上部は開口されて下部に多数個の貫通孔が形成され、内部にヨモギ灸用ヨモギが位置するヨモギ壺（１０）と；上部は開口され、上部の外側面にネジが形成されて内側面には前記ヨモギ壺（１０）を据え置くための突出部（２１）が形成され、前記突出部（２１）の下側に煙り排出孔（２２）が形成され、下部は内壁（２３）によって内側のヨモギ灸部（２４）と外側の附缸部（２５）とに仕切られ、前記ヨモギ灸部（２４）は、上下が開口されて前記上部に連結され、附缸部（２５）は、下部は開口されて上部は閉鎖されていて前記上部とヨモギ灸部（２４）とが分離され、前記附缸部（２５）の外側壁には排気孔（２６）が形成される本体（２０）と；内周面にネジが形成されていて前記本体（２０）上部に形成されたネジと結合して前記本体（２０）上部を覆い、上部に吸気口（３１）が形成された蓋（３０）と；前記本体（２０）の排気孔（２６）に挿入締結され、本体（２０）外側に突出して圧縮機（５０）に連結され、前記附缸部（２５）と本体（２０）外部との間の空気の流れを制御して附缸部（２５）内の圧力を維持させる開閉器（４０）と；を含んで構成されることを特徴とする漢方医料補助用附缸ヨモギ灸器に関する。これにより、既存のヨモギ灸の原理とは逆に、ヨモギ灸の煙りを皮膚に浸透させてお血を循環させると同時に附缸を施して体内の悪い気運を抜き出すので治療効果が優れており、国民健康に寄与することができるという利点がある。
2006513810.tif 000002
【特許請求の範囲】
【請求項１】
上部にヨモギ灸用のヨモギが位置するヨモギ壺を据え置き、下部に前記ヨモギ壺に連通されるヨモギ灸部を有し、前記ヨモギ灸部および上部が閉鎖されるようにして前記ヨモギ灸部の周りに位置する附缸部を具備する漢方医料補助用附缸ヨモギ灸器において、
前記ヨモギ壺を内側に据え置くための突出部が内部に形成され、前記突出部の下部および前記ヨモギ灸部の上部に位置して前記ヨモギ壺に連通される煙り排出孔が側面に形成される本体と；
前記本体の上側に結合され、前記本体に結合された時に前記ヨモギ灸部に連通される吸気口が形成される蓋と；
前記吸気口に接続されて空気を供給させるための空気ポンプと；を含み、
前記空気ポンプを作動させて空気を前記本体の内部に強制流入させることで前記ヨモギ壺のヨモギを燃焼させ、その熱および煙りが前記ヨモギ灸部の下部に移動した後に前記煙り排出孔を通じて外部に排出されることを特徴とする漢方医料補助用附缸ヨモギ灸器。
【請求項２】
前記空気ポンプは前記吸気口および吸気管によって接続され、前記吸気管上に設けられるバルブを備え、前記本体の内部に供給される空気の量を調節できるようにしたことを特徴とする請求項１記載の漢方医料補助用附缸ヨモギ灸器。
【請求項３】
前記ヨモギ壺を内側に据え置くための上部および下部のヨモギ灸部および附缸部は一体に形成されて前記本体を成し、前記ヨモギ灸部および附缸部は内壁によって仕切られることを特徴とする請求項１または２記載の漢方医料補助用附缸ヨモギ灸器。
【請求項４】
前記本体の附缸部は、その外側壁に排気孔が形成され、前記排気孔には前記附缸部内と外部と間の空気の流れを制御して附缸部内の圧力を維持させるための開閉器が結合することを特徴とする請求項３記載の漢方医料補助用附缸ヨモギ灸器。
【発明の詳細な説明】
【技術分野】
【０００１】
本発明は、附缸ヨモギ灸器に係り、より詳細には、内側ではヨモギ灸が施灸され、その外側では附缸が施される漢方医料補助用附缸ヨモギ灸器に関する。
【背景技術】
【０００２】
一般に、ヨモギは菊科に属する多年生草で強アルカリ性を示し、民間では食用および薬用として広く使われており、豊かな葉緑素、植物性纎維、良質のミネラル、および様々なビタミンなどを含んでいる。
漢方（韓国の漢方）医学では、人体の血液および気の流れの異常によるお血を取り除き、気を温めることで気血がよく通るようにして人体の抵抗力および気力を増進させる方法として鍼および灸を活用したが、鍼は専門家の力が要されるので、民間では昔から灸が活用されている実情である。
既存の一般的なヨモギを用いた灸には、ヨモギを皮膚上に直に乗せて灸を施する直接灸法と、にんにく、生姜、塩等にヨモギを乗せて灸を施する間接灸法とがあるが、これらは両方とも熱く、ヨモギの気運（煙り、蒸気）が開放された室内空間に散らばり、それによる不都合な点が多く、温度調節も容易ではなくてその使用が難しいという問題点がある。
人体の血液および気の流れの異常によるお血を取り除き、気を温めることで気血がよく通るようにして人体の抵抗力および気力を増進させる附缸も昔から漢方医学および民間療法で多く利用されている。附缸の外形および種類は様々あるが、その殆どは動物の角、ガラス、プラスチック、木、セラミックス等の素材が用いられている。その療法としては、一つの附缸のみをあてる単罐法、多数個の附缸をあてる多罐法、附缸をあてる・はずすをくり返す閃罐法、皮膚に潤滑剤を塗った後、附缸をあてて皮膚上を往復させる走罐法などで分類され、皮膚に附缸をあててうっ血を引き起こす乾附缸、皮膚を鍼で刺した後、附缸をあてて出血させる湿附缸、皮膚に附缸を高い圧力であてて皮膚の発泡を引き起こす発泡附缸がある。
既存の附缸は１０〜４０個の附缸器を長時間にかけてあてなければ効果が認められないので長時間を要し、なお多数個の附缸が用いられるのでお血のない部位にまでもあてられるので副作用が発生する。また、前記附缸のみが施されればお血を皮膚の皮下層に引き上げる役割のみをするので、その効果が軽微であり、また長期間にかけて何回も施さなければならないという問題点がある。
【発明の開示】
【０００３】
本発明は上記問題点を解決するために案出されたものであり、その目的は、内側のヨモギ灸および外側の附缸が同時に施される附缸ヨモギ灸器を提供することにある。また、他の目的は、ヨモギ灸を施灸する際に発生する煙りを外部に排出し、温度調節の容易な附缸ヨモギ灸器を提供することにある。
本発明は上記目的を達成するために、上部は開口されて下部には多数個の貫通孔が形成され、内部にヨモギ灸用ヨモギが位置するヨモギ壺１０と；上側は開口され、上部の外側面にネジが形成されて内側面には前記ヨモギ壺１０を据え置くための突出部２１が形成され、前記突出部２１の下側に煙り排出孔２２が形成されたヨモギ据置き部と、内壁２３によって内側のヨモギ灸部２４と外側の附缸部２５とに分けられ、前記ヨモギ灸部２４は上下が開口されて前記上部に連結され、附缸部２５は、下部は開口されて上部は閉鎖され、前記上部とヨモギ灸部２４とが分離されて前記附缸部２５の外側壁に排気孔２６が形成される本体２０と；内周面にネジが形成されて前記本体２０上部に形成されたネジと結合して前記本体２０上部を覆い、上部に吸気口３１が形成された蓋３０と；前記本体２０の排気孔２６に挿入締結され、本体２０外側に突出して圧縮機５０に連結され、前記附缸部２５と本体２０外部と間の空気の流れを制御して附缸部２５内の圧力を維持させる開閉器４０と；を含んで構成されることを特徴とする。
前記煙り排出孔２２は排気管７０に連結されてヨモギ灸の煙りが外部に排出されることが好ましい。
前記蓋３０の吸気口３１は吸気管６１の一側末端に結合され、前記吸気管６１の他側末端は空気ポンプ６０に結合されて本体２０内部に空気を流入させることが好ましい。
そして、前記吸気管６１には空気の流れを制御できるバルブ６２が具備されることが好ましい。
このように本発明は、特別に設計された煙り排出孔を有する本体と吸気口を有する蓋とに空気ポンプを連結し、空気ポンプを作動させて空気を本体の内部に強制的に流入させることでヨモギ壺のヨモギを燃焼させ、その熱および煙りがヨモギ灸部の下部に移動した後に煙り排出孔を通じて外部に排出されるようにすることを特徴とする。このような構造により、ヨモギの熱おとび煙りが皮膚に効果的に作用されるようにすることでヨモギ灸が効果的に行われるようにする。また、本発明の特徴は、その効果を高めるためにヨモギ壺を内側に据え置くための上部および下部のヨモギ灸部および附缸部は一体に形成されて本体を成し、ヨモギ灸部および附缸部は内壁によって仕切られるようにする。
【発明を実施するための最良の形態】
【０００４】
以下、添付図を参照して本発明の一実施例に係る漢方医料補助用附缸ヨモギ灸器について詳しく説明する。
図１は本発明の一実施例に係る漢方医料補助用附缸ヨモギ灸器の分解斜視図であり、図２は本発明の一実施例に係る漢方医料補助用附缸ヨモギ灸器の要部断面図であり、図３は開閉器の断面図である。
本発明の漢方医料補助用附缸ヨモギ灸器は大きくヨモギ壺１０と本体２０と蓋３０と開閉器４０とで構成される。
まず、ヨモギ壺１０について説明する。前記ヨモギ壺１０は、上部は開口されて下部には多数個の貫通孔が形成されている。前記ヨモギ壺１０は、その内部にはヨモギ灸用のヨモギが入れられており、使用時に前記ヨモギに火が付くため、熱に強くて本体２０に直接的に熱が伝達されないような、熱伝導率の低いセラミックス等の素材で製作される。前記壺の上部は外側に折り曲げられており、後述する本体２０内部に形成された突出部２１に折り曲げられた部分がかかる。
上記のように、外側に折り曲げる代わりに、前記壺の上側の直径を下側の直径より大きくして前記突出部２１にかかるようにしても構わない。
次に、本体２０について説明する。前記本体２０は大きく上部のヨモギ据置き部と下部のヨモギ灸部２４と附缸部２５とに分けられる。前記本体２０上部のヨモギ据置き部は上側が開口され、外周面の末端にネジが形成され、内側の一部が突出して突出部２１が形成されて前記ヨモギ壺１０を据え置く。前記突出部２１の下側にはヨモギ灸の煙りを排出するための貫通された煙り排出孔２２が形成されている。前記煙り排出孔２２は排気管７０に連結されるために外側に突出している。本発明では、前記排気管７０の一側の末端は前記煙り排出孔２２に連結され、他側は室外に連結されて前記本体２０内のヨモギ灸の際に発生する煙りを室外に排出する。
前記本体２０の下部は内側のヨモギ灸部２４と外側の附缸部２５とに分けられる。前記ヨモギ灸部２４と附缸部２５とは内壁２３によって分離される。前記ヨモギ灸部２４は上部と下部とが開口され、前記ヨモギ据置き部に据え置かれたヨモギが燃焼する際に発生する熱および煙りが患者の皮膚側に伝達されるようにする通路になる。前記附缸部２５は前記内壁２３によってヨモギ据置き部およびヨモギ灸部２４より分離され、外壁は前記ヨモギ据置き部の外壁が下側に延長して形成される。前記附缸部２５の外壁には前記附缸部２５内の空気を取り除くための排気孔２６が形成される。
次に、蓋３０について説明する。前記蓋３０は前記本体２０の上部に結合されて本体２０内部のヨモギ灸煙りが外部に排出されることを防止する。前記蓋３０の内周面にはネジが形成されており、前記本体２０のヨモギ据置き部の上部の外側に形成されたネジと結合する。この時、前記蓋３０と本体２０との間の密閉性を高めるために、前記蓋３０の内部にパッキングを備えても構わない。前記蓋３０の外周面には開閉を容易にするための凹凸部を形成しても構わない。
前記蓋３０の上部には吸気口が形成される。前記吸気口の上側は突出して吸気管６１に連結される。この時、前記吸気管６１の一側は空気ポンプ６０に連結されて外部の空気が前記吸気口を通じて流入されるようにする。ここで、前記吸気管６１には空気の流れを制御するためのバルブ６２が具備される。これは前記吸気口を通じて本体２０の内部に流入される空気の量を調節して前記ヨモギ灸の温度を適切に維持するためのものである。
次に、開閉器４０について説明する。前記開閉器４０は柔らかいゴム等の素材でなり、本体２０の排気孔２６に挿入されており、内側にはホール（hole）４１が形成されて前記本体２０内側に連結され、本体２０外側に突出した部位には切開部４２が形成され、この突出した部位に外部からの圧力が加えられる時に前記切開部４２が開放されて附缸部２５の内部および本体２０外部の空気が流動し、圧力が除去されれば前記切開部４２が閉鎖されて遮断されるように構成される。
これにより、前記開閉器４０に圧縮機５０を連結すれば切開部４２が開放され、前記圧縮機５０を作動させて前記附缸部２５内の空気を排出すれば内部の気圧が低くなる。この時、前記開閉器４０から圧縮機５０を取り除けば、前記開閉器４０の切開部４２が閉鎖されて外部の空気が前記排気孔２６を通じて流入することを防止する。
以下では、本発明の一実施例に係る漢方医料補助用附缸ヨモギ灸器の作用について説明する。
まず、蓋３０を本体２０から分離してからヨモギ壺１０にヨモギを位置させた後、前記ヨモギに火を付ける。前記ヨモギ壺１０を本体２０内部に据え置いた後、前記蓋３０を覆って煙りが外部に排出しないように密閉させる。この時、前記蓋３０の吸気口３１に空気ポンプ６０連結された吸気管６１を締結し、本体２０の煙り排出孔２２に排気管７０の一側末端を連結し、他側末端は室外に延長されるようにする。
そして、前記附缸ヨモギ灸器を患者の皮膚に位置させた後、前記排気孔２６に圧縮機５０を連結して前記附缸部２５内の空気を取り除いて真空状態にし、前記空気ポンプ６０を作動させて吸気管６１に付着されたバルブ６２を開いて本体２０内部に空気を流入させる。これにより、前記空気がヨモギ壺１０の上部からヨモギ壺１０の内部を通じてヨモギ壺１０の下部に形成された貫通孔側に移動する。また、前記ヨモギの燃焼による熱および煙りが共に下部に移動し、前記ヨモギ灸部２４の下部に位置した皮膚に施灸される。そして、前記煙りは本体２０の側面に形成された煙り排出孔２２を通じて室外に排出される。ここで、前記ヨモギ灸を施灸する際の温度は、前記吸気管６１に付着されたバルブ６２で本体２０内部に流入される空気の量を調節し、所望の温度を維持する。
ヨモギ灸が完了すれば、前記附缸ヨモギ灸器を分離した後、皮膚をぬぐって皮膚についた樹液等を取り除く。
【産業上の利用可能性】
【０００５】
上述したように、本発明の漢方医料補助用附缸ヨモギ灸器によれば、内側のヨモギ灸部でヨモギ灸の煙りおよび熱によってお血が循環され、外側の附缸部では前記お血の毒素が外部に排出されて治療効果が最大化されるという利点がある。
また、ヨモギ灸の際に発生する煙りが室外に排出され、吸気管に付着されたバルブで温度調節が可能であるので、使用し易いという利点がある。
【図面の簡単な説明】
【０００６】
図１は、本発明の一実施例に係る漢方医料補助用附缸ヨモギ灸器の分解斜視図である。
図２は、本発明の一実施例に係る漢方医料補助用附缸ヨモギ灸器の要部断面図である。
図３は、開閉器の断面図である。
【符号の説明】
【０００７】
１０    ヨモギ壺
２０    本体
２４    ヨモギ灸部
２５    附缸部
３０    蓋
４０    開閉器
５０    圧縮機
６０    空気ポンプ
６２    バルブ
７０    排気管
【図１】
2006513810.tif 000003
【図２】
2006513810.tif 000004
【図３】
2006513810.tif 000005
【国際調査報告】
2006513810.tif 000006
2006513810.tif 000007